(57)【要約】【課題】ＰＣを利用せずとも、投影された表示形態と同じ表示形態で、文書データの画像形成を行うこと。【解決手段】情報投影装置１００は、文書データを構成する一または複数のページの画像データの表示形態を指示する操作部１０２と  一または複数のページの画像データを、指示された表示形態で投影表示する投影表示部１０４と、投影表示された一または複数のページの画像データの表示構成を示す表示構成情報を生成する表示構成情報生成部１０３と、表示構成情報を、印刷指示の対象である文書データに対応づけられた、一または複数のページの画像データを表示構成情報が示す表示構成で配置した画像形成データを生成する画像形成データ生成装置２００に送信する通信部２０１と、を備えた。【選択図】図１
2012173886.tif 000002
【特許請求の範囲】
【請求項１】
情報投影装置と、前記情報投影装置にネットワークで接続された画像形成データ生成装置と、前記画像形成データ生成装置に前記ネットワークに接続された画像形成装置とを備えた情報投影システムであって、
前記情報投影装置は、
文書データを構成する一または複数のページの画像データの表示形態を指示する操作手段と、
前記一または複数のページの画像データを、指示された表示形態で投影表示する投影表示手段と、
投影表示された前記一または複数のページの画像データの表示構成を示す表示構成情報を生成する表示構成情報生成手段と、
前記表示構成情報を前記画像形成データ生成装置に送信する第１通信手段と、を備え、
前記画像形成データ生成装置は、
前記文書データと、前記文書データを構成する一または複数のページの画像データの一覧である画像リストとを対応づけて記憶する記憶手段と、
前記表示構成情報を受信する第２通信手段と、
投影表示された前記文書データの画像形成指示があった場合、前記記憶手段において、前記画像形成指示の対象である前記文書データに対応づけられた、前記一または複数のページの画像データを、前記表示構成情報が示す表示構成で、画像形成する記録媒体のサイズに対応する画像形成用メモリ領域に配置した画像形成データを生成し、生成された画像形成データを画像形成装置に送信する画像形成データ生成手段と、を備え、
前記画像形成装置は、
生成された画像形成データの画像形成を行う画像形成手段
を備えたことを特徴とする情報投影システム。
【請求項２】
画像形成データを生成する画像形成データ生成装置にネットワークで接続された情報投影装置であって、
文書データを構成する一または複数のページの画像データの表示形態を指示する操作手段と、
前記一または複数のページの画像データを、指示された表示形態で投影表示する投影表示手段と、
投影表示された前記一または複数のページの画像データの表示構成を示す表示構成情報を生成する表示構成情報生成手段と、
前記表示構成情報を、画像形成指示の対象である前記文書データに対応づけられた、前記一または複数のページの画像データを、前記表示構成情報が示す表示構成で配置した前記画像形成データを生成する前記画像形成データ生成装置に送信する通信手段と、
を備えたことを特徴とする情報投影装置。
【請求項３】
前記表示構成情報生成手段は、前記表示形態に基づいて、投影表示された前記一または複数のページの画像データの投影画面上での配置位置座標を示す相対位置情報を含む前記表示構成情報を生成すること、
を特徴とする請求項２に記載の情報投影装置。
【請求項４】
前記表示構成情報生成手段は、さらに、前記表示形態に基づいて、投影表示された前記複数のページの画像データの投影画面上での重なり順を示す重なり順情報を含む前記表示構成情報を生成すること、
を特徴とする請求項３に記載の情報投影装置。
【請求項５】
前記表示構成情報生成手段は、さらに、前記表示形態に基づいて、投影表示された前記一または複数のページの画像データの投影画面上での切り出し範囲を示す部分位置情報を含む前記表示構成情報を生成すること、
を特徴とする請求項３または４に記載の情報投影装置。
【請求項６】
外部入力装置から、入力データを受け付ける入力インタフェイス手段をさらに備え、
前記第１通信手段は、さらに、前記入力データを、前記画像形成データ生成装置に送信すること、
を特徴とする請求項２〜５のいずれか一つに記載の情報投影装置。
【請求項７】
前記第１通信手段は、前記文書データの投影表示を行う場合に、投影表示対象の前記文書データの前記画像リストを、前記画像形成データ生成装置に要求して、前記画像リストを受信し、
前記操作手段は、受信した前記画像リストに含まれる前記一または複数のページの画像データの表示形態を指示し、
前記投影表示手段は、受信した前記画像リストに含まれる前記一または複数のページの画像データを、指示された表示形態で投影表示すること、
を特徴とする請求項２〜６のいずれか一つに記載の情報投影装置。
【請求項８】
画像形成装置とネットワークで接続された情報投影装置であって、
文書データを構成する一または複数のページの画像データの表示形態を指示する操作手段と、
前記一または複数のページの画像データを、指示された表示形態で投影表示する投影表示手段と、
投影表示された前記一または複数のページの画像データの表示構成を示す表示構成情報を生成する表示構成情報生成手段と、
前記文書データと、前記文書データを構成する一または複数のページの画像データの一覧である画像リストとを対応づけて記憶する記憶手段と、
投影表示された前記文書データの画像形成指示があった場合、前記記憶手段において、前記画像形成指示の対象である前記文書データに対応づけられた、前記一または複数のページの画像データを、前記表示構成情報が示す表示構成で、画像形成する記録媒体のサイズに対応する画像形成用メモリ領域に配置した画像形成データを生成し、生成された画像形成データを前記画像形成装置に送信する画像形成データ生成手段と、
を備えたことを特徴とする情報投影装置。
【請求項９】
文書データを投影表示する情報投影装置と画像形成データの画像形成を行う画像形成装置とにネットワークで接続された画像形成データ生成装置であって、
前記文書データと、前記文書データを構成する一または複数のページの画像データの一覧である画像リストとを対応づけて記憶する記憶手段と、
前記情報投影装置で投影表示された前記一または複数のページの画像データの表示構成を示す表示構成情報を受信する通信手段と、
投影表示された前記文書データの画像形成指示があった場合、前記記憶手段において、前記画像形成指示の対象である前記文書データに対応づけられた、前記一または複数のページの画像データを、前記表示構成情報が示す表示構成で、画像形成する記録媒体のサイズに対応する画像形成用メモリ領域に配置した前記画像形成データを生成し、生成された画像形成データを画像形成装置に送信する画像形成データ生成手段と、
を備えたことを特徴とする画像形成データ生成装置。
【請求項１０】
前記表示構成情報は、前記情報投影装置で投影表示された前記一または複数のページの画像データの投影画面上での配置位置座標を示す相対位置情報を含み、
前記画像形成データ生成手段は、前記一または複数のページの画像データを、前記相対位置情報が示す配置位置座標で、前記画像形成用メモリ領域に配置した前記画像形成データを生成すること、
を特徴とする請求項９に記載の画像形成データ生成装置。
【請求項１１】
前記表示構成情報は、さらに、前記情報投影装置で投影表示された前記複数のページの画像データの投影画面上での重なり順を示す重なり順情報を含み、
前記画像形成データ生成手段は、さらに、前記複数のページの画像データを、前記重なり順情報が示す重なり順で、前記画像形成用メモリ領域に配置した前記画像形成データを生成すること、
を特徴とする請求項１０に記載の画像形成データ生成装置。
【請求項１２】
前記表示構成情報は、さらに、前記情報投影装置で投影表示された前記一または複数のページの画像データの投影画面上での切り出し範囲を示す部分位置情報を含み、
前記画像形成データ生成手段は、さらに、前記一または複数のページの画像データを、前記部分位置情報が示す切り出し範囲で、前記画像形成用メモリ領域に配置した前記画像形成データを生成すること、
を特徴とする請求項１０または１１に記載の画像形成データ生成装置。
【請求項１３】
入力データを、前記表示構成情報に登録する表示構成情報管理手段をさらに備え、
前記通信手段は、さらに、前記情報投影装置から前記入力データを受信し、
前記画像形成データ生成手段は、前記記憶手段において、前記画像形成指示の対象である前記文書データに対応づけられた、前記一または複数のページの画像データと前記入力データとを、前記表示構成情報が示す表示構成で、画像形成する記録媒体のサイズに対応する画像形成用メモリ領域に配置した前記画像形成データを生成すること、
を特徴とする請求項９〜１２のいずれか一つに記載の画像形成データ生成装置。
【請求項１４】
前記文書データを構成する一または複数のページのそれぞれを画像データに変換する画像データ生成手段と、
前記記憶手段に、変換された前記一または複数のページの画像データの一覧を前記画像リストとして前記文書データに対応づけて保存する文書管理手段と、をさらに備え、
前記通信手段は、前記情報投影装置からの要求を受けて、前記一または複数のページの画像データの一覧を前記情報投影装置に送信すること、
を特徴とする請求項９〜１３のいずれか一つに記載の画像形成データ生成装置。
【請求項１５】
画像形成装置とネットワークで接続された情報投影装置で実行される情報投影方法であって、
前記情報投影装置は、文書データと、前記文書データを構成する一または複数のページの画像データの一覧である画像リストとを対応づけて記憶する記憶手段を備え、
前記文書データを構成する一または複数のページの画像データの表示形態の指示を受け付けるステップと、
前記一または複数のページの画像データを、指示された表示形態で投影表示するステップと、
投影表示された前記一または複数のページの画像データの表示構成を示す表示構成情報を生成するステップと、
投影表示された前記文書データの画像形成指示があった場合、前記記憶手段において、前記画像形成指示の対象である前記文書データに対応づけられた、前記一または複数のページの画像データを、前記表示構成情報が示す表示構成で、画像形成する記録媒体のサイズに対応する画像形成用メモリ領域に配置した画像形成データを生成するステップと、
生成された画像形成データを前記画像形成装置に送信するステップと、
を含むことを特徴とする情報投影方法。
【請求項１６】
画像形成データを生成する画像形成データ生成装置にネットワークで接続されたコンピュータに実行させるためのプログラムであって、
文書データを構成する一または複数のページの画像データの表示形態の指示を受け付けるステップと、
前記一または複数のページの画像データを、指示された表示形態で投影表示するステップと、
投影表示された前記一または複数のページの画像データの表示構成を示す表示構成情報を生成するステップと、
前記表示構成情報を、画像形成指示の対象である前記文書データに対応づけられた、前記一または複数のページの画像データを、前記表示構成情報が示す表示構成で配置した前記画像形成データを生成する前記画像形成データ生成装置に送信するステップと、
を前記コンピュータに実行させるためのプログラム。
【請求項１７】
文書データを投影表示する情報投影装置と画像形成データの画像形成を行う画像形成装置とにネットワークで接続されたコンピュータに実行させるためのプログラムであって、
前記コンピュータは、前記文書データと、前記文書データを構成する一または複数のページの画像データの一覧である画像リストとを対応づけて記憶する記憶手段を備え、
前記情報投影装置で投影表示された前記一または複数のページの画像データの表示構成を示す表示構成情報を受信するステップと、
投影表示された前記文書データの画像形成指示があった場合、前記記憶手段において、前記画像形成指示の対象である前記文書データに対応づけられた、前記一または複数のページの画像データを、前記表示構成情報が示す表示構成で、画像形成する記録媒体のサイズに対応する画像形成用メモリ領域に配置した前記画像形成データを生成するステップと、
生成された画像形成データを画像形成装置に送信するステップと、
を前記コンピュータに実行させるためのプログラム。
【発明の詳細な説明】
【技術分野】
【０００１】
本発明は、情報投影システム、情報投影装置、画像形成データ生成装置、情報投影方法およびプログラムに関する。
【背景技術】
【０００２】
従来から、オフィスや大学で行われる講義や説明会あるいは打ち合わせ等で、説明資料を事前に人数分印刷して配布しつつ、情報投影装置としてのプロジェクタを利用して、ＰＣ（Ｐｅｒｓｏｎａｌ  Ｃｏｍｐｕｔｅｒ）上で作成した説明資料をスクリーンに投影するといった場面が多い。このような場面には、ＰＣとプロジェクタとを、有線または無線で接続したプロジェクション関連の技術や、ＰＣからの資料の印刷という既存の技術を用いている。
【０００３】
例えば、特許文献１には、プロジェクタで投影している説明資料のページと、議事内容を対応づけた組として画像形成装置に記憶し、印刷の際には、対応づけて画像形成装置に記憶した内容を印刷することにより、複数ページの説明資料を、会議中にプロジェクタで投影している状態で、その投影しているページと議事録内容を組み合わせて印刷出力できるようにし、これにより、議事録内容と投影された説明資料のページとの関係を把握させる技術が開示されている。
【０００４】
また、特許文献２には、プロジェクタ側で、ＵＲＬ（Ｕｎｉｆｏｒｍ  Ｒｅｓｏｕｒｃｅ  Ｌｏｃａｔｏｒ）で指定された記憶場所から、当該記憶場所に予め保存しておいた説明資料のデータを取得して投影表示することで、操作側のＰＣで投影表示する説明資料のデータの保持を不要とする技術が開示されている。
【発明の概要】
【発明が解決しようとする課題】
【０００５】
しかしながら、これらの従来技術では、ＰＣの画面をそのままプロジェクタで投影しない場合、すなわち、ＵＳＢ（Ｕｎｉｖｅｒｓａｌ  Ｓｅｒｉａｌ  Ｂｕｓ）メモリ等に画像データを保存しておいたり、ネットワーク経由で表示対象の画像データをプロジェクタに転送する場合、プロジェクタで投影する際に部分的に拡大したり、複数のページを同時にスクリーンに投影しても、その投影表示された表示形態のまま印刷等の画像形成を行うことが困難であるという問題がある。
【０００６】
本発明は、上記に鑑みてなされたものであって、投影表示された文書データの画像形成を行う場合、ＰＣを利用せずとも、投影された表示形態と同じ表示形態で、文書データの画像形成を行うことができる情報投影システム、情報投影装置、画像形成データ生成装置、情報投影方法およびプログラムを提供することを主な目的とする。
【課題を解決するための手段】
【０００７】
上述した課題を解決し、目的を達成するために、本発明にかかる情報投影システムは、情報投影装置と、前記情報投影装置にネットワークで接続された画像形成データ生成装置と、前記画像形成データ生成装置に前記ネットワークに接続された画像形成装置とを備えた情報投影システムであって、前記情報投影装置は、文書データを構成する一または複数のページの画像データの表示形態を指示する操作手段と、前記一または複数のページの画像データを、指示された表示形態で投影表示する投影表示手段と、投影表示された前記一または複数のページの画像データの表示構成を示す表示構成情報を生成する表示構成情報生成手段と、前記表示構成情報を前記画像形成データ生成装置に送信する第１通信手段と、を備え、前記画像形成データ生成装置は、前記文書データと、前記文書データを構成する一または複数のページの画像データの一覧である画像リストとを対応づけて記憶する記憶手段と、前記表示構成情報を受信する第２通信手段と、投影表示された前記文書データの画像形成指示があった場合、前記記憶手段において、前記画像形成指示の対象である前記文書データに対応づけられた、前記一または複数のページの画像データを、前記表示構成情報が示す表示構成で、画像形成する記録媒体のサイズに対応する画像形成用メモリ領域に配置した画像形成データを生成し、生成された画像形成データを画像形成装置に送信する画像形成データ生成手段と、前記画像形成装置は、  生成された画像形成データの画像形成を行う画像形成手段を備えたことを特徴とする。
【０００８】
また、本発明にかかる情報投影装置は、画像形成データを生成する画像形成データ生成装置にネットワークで接続された情報投影装置であって、文書データを構成する一または複数のページの画像データの表示形態を指示する操作手段と、前記一または複数のページの画像データを、指示された表示形態で投影表示する投影表示手段と、投影表示された前記一または複数のページの画像データの表示構成を示す表示構成情報を生成する表示構成情報生成手段と、前記表示構成情報を、画像形成指示の対象である前記文書データに対応づけられた、前記一または複数のページの画像データを、前記表示構成情報が示す表示構成で配置した前記画像形成データを生成する前記画像形成データ生成装置に送信する通信手段と、を備えたことを特徴とする。
【０００９】
また、本発明にかかる情報投影装置は、画像形成装置とネットワークで接続された情報投影装置であって、文書データを構成する一または複数のページの画像データの表示形態を指示する操作手段と、前記一または複数のページの画像データを、指示された表示形態で投影表示する投影表示手段と、投影表示された前記一または複数のページの画像データの表示構成を示す表示構成情報を生成する表示構成情報生成手段と、前記文書データと、前記文書データを構成する一または複数のページの画像データの一覧である画像リストとを対応づけて記憶する記憶手段と、投影表示された前記文書データの画像形成指示があった場合、前記記憶手段において、前記画像形成指示の対象である前記文書データに対応づけられた、前記一または複数のページの画像データを、前記表示構成情報が示す表示構成で、画像形成する記録媒体のサイズに対応する画像形成用メモリ領域に配置した画像形成データを生成し、生成された画像形成データを前記画像形成装置に送信する画像形成データ生成手段と、を備えたことを特徴とする。
【００１０】
また、本発明にかかる印刷データ生成装置は、文書データを投影表示する情報投影装置と画像形成データの画像形成を行う画像形成装置とにネットワークで接続された画像形成データ生成装置であって、前記文書データと、前記文書データを構成する一または複数のページの画像データの一覧である画像リストとを対応づけて記憶する記憶手段と、前記情報投影装置で投影表示された前記一または複数のページの画像データの表示構成を示す表示構成情報を受信する通信手段と、投影表示された前記文書データの画像形成指示があった場合、前記記憶手段において、前記画像形成指示の対象である前記文書データに対応づけられた、前記一または複数のページの画像データを、前記表示構成情報が示す表示構成で、画像形成する記録媒体のサイズに対応する画像形成用メモリ領域に配置した前記画像形成データを生成し、生成された画像形成データを画像形成装置に送信する画像形成データ生成手段と、を備えたことを特徴とする。
【００１１】
また、本発明にかかる情報投影方法は、画像形成装置とネットワークで接続された情報投影装置で実行される情報投影方法であって、前記情報投影装置は、文書データと、前記文書データを構成する一または複数のページの画像データの一覧である画像リストとを対応づけて記憶する記憶手段を備え、前記文書データを構成する一または複数のページの画像データの表示形態の指示を受け付けるステップと、前記一または複数のページの画像データを、指示された表示形態で投影表示するステップと、投影表示された前記一または複数のページの画像データの表示構成を示す表示構成情報を生成するステップと、投影表示された前記文書データの画像形成指示があった場合、前記記憶手段において、前記画像形成指示の対象である前記文書データに対応づけられた、前記一または複数のページの画像データを、前記表示構成情報が示す表示構成で、画像形成する記録媒体のサイズに対応する画像形成用メモリ領域に配置した画像形成データを生成するステップと、生成された画像形成データを前記画像形成装置に送信するステップと、を含むことを特徴とする。
【００１２】
また、本発明にかかるプログラムは、画像形成データを生成する画像形成データ生成装置にネットワークで接続されたコンピュータに実行させるためのプログラムであって、文書データを構成する一または複数のページの画像データの表示形態の指示を受け付けるステップと、前記一または複数のページの画像データを、指示された表示形態で投影表示するステップと、投影表示された前記一または複数のページの画像データの表示構成を示す表示構成情報を生成するステップと、前記表示構成情報を、画像形成指示の対象である前記文書データに対応づけられた、前記一または複数のページの画像データを、前記表示構成情報が示す表示構成で配置した前記画像形成データを生成する前記画像形成データ生成装置に送信するステップとを前記コンピュータに実行させる。
【００１３】
また、本発明にかかるプログラムは、文書データを投影表示する情報投影装置と画像形成データの画像形成を行う画像形成装置とにネットワークで接続されたコンピュータに実行させるためのプログラムであって、前記コンピュータは、前記文書データと、前記文書データを構成する一または複数のページの画像データの一覧である画像リストとを対応づけて記憶する記憶手段を備え、前記情報投影装置で投影表示された前記一または複数のページの画像データの表示構成を示す表示構成情報を受信するステップと、投影表示された前記文書データの画像形成指示があった場合、前記記憶手段において、前記画像形成指示の対象である前記文書データに対応づけられた、前記一または複数のページの画像データを、前記表示構成情報が示す表示構成で、画像形成する記録媒体のサイズに対応する画像形成用メモリ領域に配置した前記画像形成データを生成するステップと、生成された画像形成データを画像形成装置に送信するステップと、を前記コンピュータに実行させる。
【発明の効果】
【００１４】
本発明によれば、投影表示された文書データの画像形成を行う場合、ＰＣを利用せずとも、投影された表示形態と同じ表示形態で、文書データの画像形成を行うことができるという効果を奏する。
【図面の簡単な説明】
【００１５】
【図１】図１は、実施の形態１の情報投影システムのネットワーク構成、および情報投影装置、画像形成データ生成装置、画像形成装置の各機能的構成を示すブロック図である。
【図２】図２は、画像リストのデータ構造の一例を示す説明図である。
【図３】図３は、リンクテーブルの一例を示す説明図である。
【図４】図４は、表示構成情報のデータ構造の一例を示す説明図である。
【図５】図５は、相対位置情報が登録された表示情報を含む表示構成情報の一例を示す説明図である。
【図６】図６は、図５に示す表示情報を含む表示構成情報が生成される場合におけるユーザによる表示形態の指示の例を示す説明図である。
【図７】図７は、相対位置情報および重なり順情報が登録された表示情報を含む表示構成情報の一例を示す説明図である。
【図８】図８は、図７に示す表示情報を含む表示構成情報が生成される場合におけるユーザによる表示形態の指示の例を示す説明図である。
【図９】図９は、相対位置情報、部分位置情報および重なり順情報が登録された表示情報を含む表示構成情報の一例を示す説明図である。
【図１０】図１０は、図９に示す表示情報を含む表示構成情報が生成される場合におけるユーザによる表示形態の指示の例を示す説明図である。
【図１１】図１１は、実施の形態１の文書データの登録処理のシーケンス図である。
【図１２】図１２は、実施の形態１の投影表示処理の手順を示すシーケンス図である。
【図１３】図１３は、実施の形態１の表示構成情報の生成処理の手順を示すフローチャートである。
【図１４】図１４は、実施の形態１の印刷処理の手順を示すシーケンス図である。
【図１５】図１５は、実施の形態１の画像形成データ生成処理の手順を示すフローチャートである。
【図１６】図１６は、実施の形態２の情報投影システムのネットワーク構成、および情報投影装置、画像形成データ生成装置、画像形成装置の各機能的構成を示すブロック図である。
【図１７】図１７は、実施の形態１の表示構成情報のデータ構造の一例を示す説明図である。
【図１８】図１８は、議事録情報を含む表示構成情報の例を示す説明図である。
【図１９】図１９は、実施の形態２の議事録情報の登録処理の手順を示すシーケンス図である。
【図２０】図２０は、実施の形態２の画像形成データ生成処理の手順を示すフローチャートである。
【図２１】図２１は、図１８に示す表示構成情報から生成された画像形成データおよび印刷結果を示す説明図である。
【図２２】図２２は、実施の形態１、２の画像形成データ生成装置２００，１７００のハードウェア構成例を示すブロック図である。
【図２３】図２３は、情報投影装置１００，１６００のハードウェア構成例を示すブロック図である。
【図２４】図２４は、実施の形態３の情報投影システムのネットワーク構成、および情報投影装置、画像形成装置の各機能的構成を示すブロック図である。
【発明を実施するための形態】
【００１６】
以下に添付図面を参照して、情報投影システム、情報投影装置、画像形成データ生成装置、情報投影方法およびプログラムの実施の形態を詳細に説明する。以下に示す実施の形態では、画像形成装置は、画像形成処理として印刷処理を行う印刷装置として構成され、画像形成データは、印刷のためのデータ、すなわち印刷データである。
【００１７】
（実施の形態１）
図１は、実施の形態１の情報投影システムのネットワーク構成、および情報投影装置、画像形成データ生成装置、画像形成装置の各機能的構成を示すブロック図である。本実施の形態にかかる情報投影システムは、情報投影装置１００と、画像形成データ生成装置２００と、画像形成装置３００と、ＰＣ４００とを備え、それぞれがインターネット等のネットワークに接続された構成となっている。
【００１８】
情報投影装置１００は、投影スクリーンに文書データの内容を投影表示するプロジェクタ等が該当するが、これに限定されるものではない。画像形成データ生成装置２００は、投影表示された文書データを印刷するための画像形成データを生成し、画像形成装置３００に送信するものである。ここで、画像形成データとしては、例えば、ＰＤＬ（Ｐｒｉｎｔ  Ｄｅｓｃｒｉｐｔｉｏｎ  Ｌａｎｇｕａｇｅ）データ等が該当する。画像形成装置３００は、画像形成部３０１を備え、画像形成データ生成装置２００で生成された画像形成データを受信し、画像形成部３０１により、この画像形成データを記録媒体に印刷する。
【００１９】
画像形成データ生成装置２００の詳細について説明する。画像形成データ生成装置２００は、図１に示すように、通信部２０１と、表示構成情報管理部２０２と、文書管理部２０３と、画像形成データ生成部２０４と、画像データ生成部２０５と、記憶部２１０とを主に備えている。
【００２０】
記憶部２１０は、ハードディスクドライブ装置（ＨＤＤ）等の記憶媒体であり、後述する文書データや画像リスト等を記憶する。ここで、文書データには、プレゼンテーション資料作成ソフトウェアやワードプロセッサ等で生成されたデータ、あるいはこれらのデータから変換された表示用データ等が該当するが、これらに限定されるものではない。
【００２１】
画像データ生成部２０５は、文書データを構成する一または複数のページのそれぞれを、情報投影装置１００で投影表示が可能な形式の１ページ単位の画像データに変換する。情報投影装置１００で投影表示が可能な形式としては、例えば、ＪＰＥＧ形式等があげられるが、これに限定されるものではない。
【００２２】
文書管理部２０３は、ＰＣ４００から、情報投影装置１００で投影する文書データを受信し、受信した文書データを記憶部２１０に保存する。また、文書管理部２０３は、画像データ生成部２０５により、変換された一または複数のページのそれぞれの画像データの一覧からなる画像リストを記憶部２１０に保存するとともに、この画像リストと、画像リストを構成する一または複数の画像データのページを含む文書データとリンクすることより、文書データと画像リストとを対応づける。
【００２３】
図２は、画像リストのデータ構造の一例を示す説明図である。図２に示すように、画像リストには、文書データを構成するページ単位のデータから投影表示用に変換された画像データと、この画像データを一意に識別するための画像ＩＤとがそれぞれ対応づけられて含まれる。文書管理部２０３は、このような画像リストと、変換元の文書データとをリンクテーブルを生成することによってリンクする。
【００２４】
図３は、リンクテーブルの一例を示す説明図である。リンクテーブルは、記憶部２１０に保存される。文書管理部２０３は、図３に示すように、文書データのファイル名である文書データ名と、この文書データから変換された画像データを含む画像リストのファイル名である画像リスト名とをリンクテーブルに対応づけて登録する。
【００２５】
従って、文書管理部２０３は、情報投影装置１００から通信部２０１を介して、投影表示対象の文書データの画像リストの要求を受けた場合には、リンクテーブルを参照して、記憶部２１０から、投影表示対象の文書データに対応する画像リストを読み出し、通信部２０１に受け渡す。
【００２６】
また、情報投影装置１００から通信部２０１を介して、文書データの印刷指示を受けた場合には、リンクテーブルを参照して、記憶部２１０から、投影表示対象の文書データに対応する画像リストを読み出して、画像形成データ生成部２０４に受け渡す。
【００２７】
なお、文書データと画像リストのリンクの手法は、リンクテーブルを用いた手法に限定されるものではなく、文書データと画像リストとをリンクするものであれば、いずれの手法も適用することができる。
【００２８】
図１に戻り、通信部２０１は、情報投影装置１００から、情報投影装置１００で投影表示された一または複数のページの画像データの表示構成を示す表示構成情報を受信する。ここで、表示構成情報の詳細については後述する。
【００２９】
また、通信部２０１は、情報投影装置１００からの要求を受けて、投影表示の対象である文書データに対応する画像リスト（文書管理部２０３によって記憶部２１０から読み出される）を情報投影装置１００に送信する。
【００３０】
表示構成情報管理部２０２は、情報投影装置１００から受信した表示構成情報を、ＲＡＭ等（不図示）に一時的に保存するとともに、画像形成データ生成部２０４に受け渡す。
【００３１】
画像形成データ生成部２０４は、情報投影装置１００から投影表示された文書データの印刷指示があった場合、印刷指示の対象である文書データに対応づけられた画像リスト（文書管理部２０３によって記憶部２１０から読み出される）に含まれる一または複数のページの画像データを、情報投影装置１００から受信した表示構成情報が示す表示構成で、印刷する用紙サイズに対応する印刷用メモリ領域に配置した画像形成データを生成する。また、画像形成データ生成部２０４は、生成した画像形成データを画像形成装置３００に送信して、画像形成装置３００に印刷させる。なお、表示構成情報に応じた具体的な画像形成データの生成手法については後述する。
【００３２】
次に、情報投影装置１００の詳細について説明する。情報投影装置１００は、図１に示すように、操作部１０２と、通信部１０１と、表示構成情報生成部１０３と、投影表示部１０４とを主に備えている。
【００３３】
通信部１０１は、文書データの投影表示を行う場合に、投影表示対象の文書データの画像リストを、画像形成データ生成装置２００に要求して、当該画像リストを受信する。また、通信部１０１は、表示構成情報生成部１０３によって生成された、後述する表示構成情報を画像形成データ生成装置２００に送信する。
【００３４】
操作部１０２は、例えば、ボタン、リモコン受信部、および、ＩＣカードなどから情報を読取るカードリーダなどにより構成される入力デバイスである。なお、操作部１０２がキーボードを備えるように構成してもよい。
【００３５】
操作部１０２は、文書データを構成する一または複数のページの画像データ、すなわち、通信部１０１によって画像形成データ生成装置２００から受信した、文書データに対応する画像リストに含まれる一または複数のページの画像データの表示形態の指示を、ユーザから受け付ける。表示形態としては、画像データの拡大縮小、画像データの配置位置、複数の画像データの重ね合わせなどがユーザから指示される。
【００３６】
投影表示部１０４は、文書データに対応する画像リストに含まれる一または複数のページの画像データを、ユーザによって指示された表示形態でスクリーンに投影表示する。
【００３７】
表示構成情報生成部１０３は、ユーザにより指示された表示形態に基づいて、表示構成情報を生成する。表示構成情報は、投影表示部１０４でユーザが指示した表示形態で投影表示された一または複数のページの画像データの表示構成を示すデータであり、ページごとに作成される。また、この表示構成は、ユーザが指示した表示形態を実現する表示構成である。
【００３８】
図４は、表示構成情報のデータ構造の一例を示す説明図である。表示構成情報は、図４に示すように、１ページの画像データを単位とした１または複数の表示情報から構成される。一つの表示情報には、画像データの画像ＩＤと、表示構成としての、相対位置情報、重なり順情報、部分位置情報が含まれる。
【００３９】
ここで、表示構成情報生成部１０３は、表示構成情報を生成する際に、画像ＩＤと相対位置情報を必ず生成するが、重なり順情報と部分位置情報は、ユーザから指示された表示形態により生成されない場合もある。
【００４０】
以下、表示構成情報の各表示構成について説明する。相対位置情報は、投影表示部１０４により投影表示された一または複数のページの画像データの投影スクリーン上、すなわち、ＲＡＭ（不図示）の表示用メモリ領域上での配置位置座標を示す。図５は、相対位置情報が登録された表示情報を含む表示構成情報の一例を示す説明図である。図６は、図５に示す表示情報を含む表示構成情報が生成される場合におけるユーザによる表示形態の指示の例を示す説明図である。
【００４１】
図５の例では、画像ＩＤ＝１の画像データを、投影スクリーン上の縦横各５０％の座標位置を始点として、投影スクリーン上の縦横各１００％の位置に表示する表示形態がユーザにより指示された場合の表示構成情報を示している。
【００４２】
すなわち、図６に示すように、投影スクリーン上の始点（５０％、５０％）から終点（１００％、１００％）までの範囲に画像ＩＤ＝１の画像データを１／４に縮小して表示する表示形態をユーザが指示した場合に、表示構成情報生成部１０３は、ユーザからの操作入力イベントや、表示用画像メモリ領域上での画像データの存在位置から、図５に示す相対位置情報を有する表示構成情報を生成する。
【００４３】
重なり順情報は、投影表示部１０４により投影表示された複数のページの画像データの投影スクリーン上（表示用メモリ領域上）での重なり順を示す。図７は、相対位置情報および重なり順情報が登録された表示情報を含む表示構成情報の一例を示す説明図である。図８は、図７に示す表示情報を含む表示構成情報が生成される場合におけるユーザによる表示形態の指示の例を示す説明図である。
【００４４】
図７の例では、画像ＩＤ＝１の画像データを、投影スクリーン上の縦横各０％の座標位置を始点として、投影スクリーン上の縦横各６０％の位置に表示し、画像ＩＤ＝２の画像データを、投影スクリーン上の縦横各５０％の座標位置を始点として、投影スクリーン上の縦横各１００％の位置に表示し、かつ、画像ＩＤ＝１の画像データの重なり順を１番目、画像ＩＤ＝２の画像データの重なり順を２番目とした表示形態がユーザにより指示された場合の表示構成情報を示している。
【００４５】
すなわち、図８に示すように、投影スクリーン上の始点（０％、０％）から終点（６０％、６０％）までの範囲に画像ＩＤ＝１の画像データを０．３６倍に縮小して表示し、投影スクリーン上の始点（５０％、５０％）から終点（１００％、１００％）までの範囲に画像ＩＤ＝２の画像データを１／４に縮小して表示し、画像ＩＤ＝１の画像データの上に画像ＩＤ＝２の画像データを重ねて表示する表示形態をユーザが指示した場合に、表示構成情報生成部１０３は、ユーザからの操作入力イベントや、表示用画像メモリ領域上での画像データの存在位置から、図７に示す相対位置情報、重なり順情報を有する表示構成情報を生成する。
【００４６】
部分位置情報は、投影表示された一または複数のページの画像データの投影スクリーン上（表示用メモリ領域上）での切り出し範囲を示す。図９は、相対位置情報、部分位置情報および重なり順情報が登録された表示情報を含む表示構成情報の一例を示す説明図である。図１０は、図９に示す表示情報を含む表示構成情報が生成される場合におけるユーザによる表示形態の指示の例を示す説明図である。
【００４７】
図９の例では、画像ＩＤ＝１の画像データに対して、当該画像データのうち、縦横各０％の座標位置を始点として縦横４０％の座標位置までの範囲を切り出して、切り出した範囲を、投影スクリーン上の縦横各０％の座標位置を始点として、投影スクリーン上の縦横各６０％の位置に表示する表示形態を示す。また、画像ＩＤ＝２の画像データに対して、当該画像データのうち、縦横各５０％の座標位置を始点として縦横１００％の座標位置までの範囲を切り出して、切り出した範囲を、投影スクリーン上の縦横各５０％の座標位置を始点として、投影スクリーン上の縦横各１００％の位置に表示する表示形態を示す。そして、さらに、双方の画像データに対して、画像ＩＤ＝１の画像データの重なり順を１番目、画像ＩＤ＝２の画像データの重なり順を２番目とした表示形態がユーザにより指示された場合の表示構成情報を示している。
【００４８】
すなわち、図１０に示すように、画像ＩＤ＝１の画像データから始点（０％，０％）から終点（４０％，４０％）の座標位置までの範囲を切り出し、投影スクリーン上の始点（０％、０％）から終点（６０％、６０％）までの範囲に画像ＩＤ＝１の画像データから切り出した範囲の画像データを縮小して表示し、画像ＩＤ＝２の画像データから始点（５０％，５０％）から終点（１００％，１００％）の座標位置までの範囲を切り出し、投影スクリーン上の始点（５０％、５０％）から終点（１００％、１００％）までの範囲に画像ＩＤ＝２の画像データから切り出した範囲の画像データを表示し、画像ＩＤ＝１の画像データの上に画像ＩＤ＝２の画像データを重ねて表示する表示形態をユーザが指示した場合に、表示構成情報生成部１０３は、ユーザからの操作入力イベントや、表示用画像メモリ領域上での画像データの存在位置から、図１０に示す相対位置情報、重なり順情報を有する表示構成情報を生成する。
【００４９】
次に、以上のように構成された本実施の形態の情報投影システムによる文書データの登録処理について説明する。図１１は、実施の形態１の文書データの登録処理のシーケンス図である。
【００５０】
まず、ＰＣ４００は、文書データとともに文書登録の指示を画像形成データ生成装置２００の文書管理部２０３に送信する（ステップＳ１０１）。画像形成データ生成装置２００の文書管理部２０３は、受信した文書データの画像変換指示を画像データ生成部２０５に送信する（ステップＳ１０２）。
【００５１】
画像データ生成部２０５は、文書データを構成する１または複数のページのそれぞれを情報投影装置１００で投影表示可能な形式の画像データに変換する（ステップＳ１０３）。そして、画像データ生成部２０５は、画像データから、図２に示す画像リストを生成して、生成した画像リストを文書管理部２０３に送信する（ステップＳ１０４）。
【００５２】
次に、文書管理部２０３は、ＰＣ４００から受信した文書データと、画像データ生成部２０５から受信した画像リストとをリンクする（ステップＳ１０５）。そして、文書管理部２０３は、文書データと画像リストを記憶部２１０に保存することにより登録する（ステップＳ１０６）。記憶部２１０への保存が完了したら、文書管理部２０３は、文書データを送信したＰＣ４００に文書登録完了通知を送信する（ステップＳ１０７）。以上のようにして、文書データが登録される。
【００５３】
次に、本実施の形態の情報投影システムによる文書データの投影表示処理について説明する。図１２は、実施の形態１の投影表示処理の手順を示すシーケンス図である。
【００５４】
まず、情報投影装置１００において、ユーザは操作部１０２から投影表示対象の文書データを指示した画像一覧表示要求の指示を行い、これを受け付けた操作部１０２は、画像一覧表示要求を通信部１０１を介して画像形成データ生成装置２００に送信する（ステップＳ１１，Ｓ１２）。
【００５５】
画像形成データ生成装置２００では、通信部２０１により画像一覧表示要求を受信すると、文書管理部２０３に対して、指示された文書データに対応した画像リストの取得要求を送信する（ステップＳ１３）。
【００５６】
画像リスト取得要求を受けた文書管理部２０３は、記憶部２１０から、指示された文書データに対応する画像リストを取得して、取得した画像リストを通信部２０１を介して情報投影装置１００に送信する（ステップＳ１４、Ｓ１５）。
【００５７】
情報投影装置１００では、通信部１０１が画像形成データ生成装置２００から画像リストを受信すると、通信部１０１は、受信した画像リストを表示構成情報生成部１０３に送信する（ステップＳ１６）。そして、表示構成情報生成部１０３は、投影表示部１０４に画像リストとともに画像リストの表示要求を行う（ステップＳ１７）。投影表示部１０４は、画像リストの表示要求を受けると、画像リストの画像データを投影スクリーンに投影表示する（ステップＳ１８）。
【００５８】
ユーザは、投影スクリーン上に投影表示された、投影表示対象の文書データを構成する画像データの一覧を見ながら、操作部１０２により画像データのレイアウトを決定する（ステップＳ１９）。具体的には、ユーザは、操作部１０２から、１または複数の画像データに対し、上述したように、配置位置、拡大、一部の切り出し、重ね合わせなどの投影スクリーン上でレイアウトを行う。このレイアウトは、内部的には、表示用メモリ領域上で実現される。そして、操作部１０２はこれらのユーザからのレイアウトを表示形態の指示として受け付け、表示構成情報生成部１０３に表示要求を行う（ステップＳ２０）。
【００５９】
表示要求を受けた表示構成情報生成部１０３は、操作部１０２からユーザにより入力された操作のイベントや、表示用メモリ領域上での画像データの配置等から、表示構成情報を生成する（ステップＳ２２）。ここで、表示構成情報の生成処理の詳細については後述する。
【００６０】
表示構成情報が生成されたら、表示構成情報生成部１０３は、生成した表示構成情報を通信部１０１を介して、画像形成データ生成装置２００に送信する（ステップＳ２３、Ｓ２４）。
【００６１】
画像形成データ生成装置２００では、通信部２０１が情報投影表示装置１００から表示構成情報を受信し、通信部２０１は、受信した表示構成情報を表示構成情報管理部２０２に送信する（ステップＳ２５）。表示構成情報管理部２０２は、受信した表示構成情報をＲＡＭ（不図示）等に一時的に保存する。そして、表示構成情報管理部２０２は、表示構成情報の受信通知を通信部２０１を介して情報投影装置１００に送信する（ステップＳ２６，Ｓ２７）。
【００６２】
情報投影装置１００では、通信部１０１が受信通知を受信し、この受信通知を表示構成情報生成部１０３に転送する（ステップＳ２８）。表示構成情報生成部１０３は、表示構成情報の受信通知を受信すると、投影表示部１０４に画像表示要求を送信する（ステップＳ２９）。画像表示要求を受けた投影表示部１０４は、投影スクリーンにユーザが指示した表示形態で画像データを投影表示する（ステップＳ３０）。以上のようにして、文書データの内容が投影スクリーンに投影表示される。
【００６３】
次に、ステップＳ２２における表示構成情報の生成処理の詳細について説明する。図１３は、実施の形態１の表示構成情報の生成処理の手順を示すフローチャートである。表示構成情報生成部１０３は、まず、ステップ１９でユーザが操作部１０２で操作した操作入力イベントを取得し（ステップＳ４１）、次いで、表示用画像メモリ領域からレイアウトされた全体の画像データを読み出す（ステップＳ４２）。
【００６４】
そして、表示構成情報生成部１０３は、読み出した全体の画像データを解析して、画像リストに登録された画像データの数を取得する（ステップＳ４３）。そして、以下のステップＳ４４からＳ４８までの処理を画像データの数分、画像データごとに繰り返す。
【００６５】
表示構成情報生成部１０３は、表示用画像メモリ領域の全体の画像データに含まれる画像データを一つ採択して、画像リストに登録されている画像ＩＤを表示構成情報に登録する（ステップＳ４４）。次に、表示構成情報生成部１０３は、表示用画像メモリ領域のサイズに対する画像データのサイズおよび配置位置を取得する（ステップＳ４５）。そして、表示構成情報生成部１０３は、かかる画像データのサイズおよび配置位置から相対位置情報を生成して、表示構成情報に画像ＩＤに対応づけて登録する（ステップＳ４６）。
【００６６】
次に、表示構成情報生成部１０３は、画像リスト中に登録された画像データと、表示用画像メモリ領域中の同じ画像データとを比較する（ステップＳ４７）。そして、操作入力イベントも参照して、画像データの切り出し範囲を求め、部分位置情報を生成して、表示構成情報に画像ＩＤに対応づけて登録する（ステップＳ４８）。
【００６７】
上記のステップＳ４４からＳ４８までの処理を表示用画像メモリ領域に含まれるすべての画像データに対して終了したら、画像データごとの切り欠き部分の有無や操作入力イベントから、各画像データの重なり順を求め、各画像データごとの重なり順情報を生成して、表示構成情報に画像ＩＤに対応づけて登録する（ステップＳ４９）。以上のような処理により、図４、５、７、９の例に示すような表示構成情報が生成される。
【００６８】
次に、本実施の形態の情報投影システムによる印刷処理について説明する。図１４は、実施の形態１の印刷処理の手順を示すシーケンス図である。
【００６９】
ユーザが投影スクリーン上の表示形態で文書データを印刷する場合には、まず、操作部１０２から印刷指示を行う。操作部１０２ではユーザからの印刷指示を受け付けて、通信部１０１を介して画像形成データ生成装置２００に対して印刷要求を送信する（ステップＳ６１，Ｓ６２）。
【００７０】
画像形成データ生成装置２００では、通信部２０１が印刷要求を受信すると、画像形成データ生成部２０４に印刷要求を送信する（ステップＳ６３）。画像形成データ生成部２０４は、印刷要求を受信すると、表示構成情報管理部２０２に表示構成情報取得要求を送信する（ステップＳ６４）。
【００７１】
表示構成情報管理部２０２は、ＲＡＭ等に一時的に保存された表示構成情報を取得して、取得した表示構成情報を画像形成データ生成部２０４に送信する（ステップＳ６５）。画像形成データ生成部２０４は、表示構成情報に登録されている画像ＩＤの画像データの取得要求を文書管理部２０３に送信する（ステップＳ６６）。この取得要求を受けた文書管理部２０３は、記憶部２１０に保存されている画像リストから、取得要求のあった画像ＩＤの画像データを取得して、取得した画像データを画像ＩＤとともに画像形成データ生成部２０４に送信する（ステップＳ６７）。
【００７２】
画像データを受信した画像形成データ生成部２０４は、画像形成データ生成処理を行う（ステップＳ６８）。ここで、画像形成データ生成処理の詳細については後述する。
【００７３】
画像形成データ生成部２０４は、画像形成データを生成すると、画像形成装置３００に画像形成データとともに印刷要求を送信する（ステップＳ６９）。印刷要求を受信した画像形成装置３００では、画像形成部３０１が受信した画像形成データを印刷する（ステップＳ７０）。
【００７４】
次に、ステップＳ６８における画像形成データ生成処理の詳細について説明する。図１５は、実施の形態１の画像形成データ生成処理の手順を示すフローチャートである。
【００７５】
画像形成データ生成部２０４は、印刷要求で指定された印刷条件から、印刷する用紙の用紙サイズを取得する（ステップＳ８１）。そして、画像形成データ生成部２０４は、用紙サイズの範囲を印刷用画像メモリ領域の範囲に割り当てる（ステップＳ８２）。そして、画像形成データ生成部２０４は、表示構成情報管理部２０２から取得した表示構成情報から重なり順情報を取得して（ステップＳ８３）、以下のステップＳ８４からＳ８８までの処理を重なり順情報の数分、すなわち画像データの数分繰り返し実行する。
【００７６】
画像形成データ生成部２０４は、表示構成情報に部分位置情報の指定があるか否かを判断する（ステップＳ８４）。そして、表示構成情報に部分位置情報の指定がない場合には（ステップＳ８４：Ｎｏ）、画像形成データ生成部２０４は、画像データの全範囲を表示対象画像とする（ステップＳ８５）。
【００７７】
一方、ステップＳ８４で、表示構成情報に部分位置情報の指定がある場合には（ステップＳ８４：Ｙｅｓ）、画像形成データ生成部２０４は、画像データから部分位置情報で指定された範囲の部分画像を表示対象画像として切り抜く（ステップＳ８６）。
【００７８】
次に、画像形成データ生成部２０４は、表示対象画像を相対位置情報で指定された範囲のサイズに拡大または縮小する（ステップＳ８７）。そして、画像形成データ生成部２０４は、拡大縮小された表示対象画像を、印刷用画像メモリ領域上で相対位置情報で指定された位置に上書きする（ステップＳ８８）。画像形成データ生成部２０４は、上記のようなステップＳ８４からＳ８８までの処理を、重なり順情報の数、すなわち表示する画像データの数分繰り返し行うことで、複数の画像データを重なり順情報で指定された順番で、かつ相対位置情報、部分位置情報で指定された範囲、サイズ、位置で印刷用画像メモリ領域に配置して画像形成データを生成することができる。
【００７９】
このように、本実施の形態では、ユーザが指示した投影表示の表示形態から表示構成情報を生成して、印刷時には、この表示構成情報を参照して、ユーザが指示した表示形態で画像形成データを生成して画像形成装置３００で印刷されるので、ユーザが投影スクリーンで表示した表示形態と同一の形態で、印刷することが可能となる。すなわち、図６、図８、図１０で示したユーザによる文書データの表示形態をそのままの形態で印刷することができる。
【００８０】
特に、本実施の形態では、表示構成情報に画像データの相対位置情報を含めて生成するため、情報投影装置１００が投影表示している内容において、表示全体の中の一部分に画像データが表示されているような場合であっても、情報投影装置１００から出力される表示構成情報を用いて、指定した用紙サイズ上に表示上の位置と同等の位置に画像データを配置することができ、投影スクリーンにおける表示形態と同じ形態の印刷出力を得ることができる。
【００８１】
また、本実施の形態では、表示構成情報に複数の画像データに対する重なり順情報を含めて生成するため、情報投影装置１００が投影表示している内容において、複数の画像データが重なって表示されているような場合であっても、情報投影装置１００から出力される表示構成情報を用いて指定用紙サイズ上に複数の画像データを配置することができ、投影スクリーンにおける表示形態と同じ印刷出力を得ることができる。
【００８２】
また、本実施の形態では、表示構成情報に画像データに含まれる部分画像の部分位置情報を含めて生成するため、情報投影装置１００が投影表示している内容において、画像データの一部を抜き出したものが表示の全体または一部を表示している場合（すなわち、拡大表示の場合）であっても、情報投影装置１００から出力される表示構成情報を用いて指定用紙サイズ上に画像データを配置の一部を配置することができ、投影スクリーンにおける表示形態と同じ印刷出力を得ることができる。
【００８３】
さらに、本実施の形態では、画像形成データ生成装置２００、情報投影装置１００、画像形成装置３００の３つの装置が連携して、情報投影装置１００の投影スクリーンへの表示形態に応じた印刷出力を行うので、情報投影装置１００が複数存在する場合に、システム配置構成として、画像形成データ生成装置２００、画像形成装置３００はそれぞれ一つずつの設置のみにすることができる。
【００８４】
（実施の形態２）
実施の形態２の情報投影システムでは、実施の形態１の情報投影システムによる処理に加えて、ユーザから入力された議事録の内容も印刷するものである。
【００８５】
図１６は、実施の形態２の情報投影システムのネットワーク構成、および情報投影装置、画像形成データ生成装置、画像形成装置の各機能的構成を示すブロック図である。本実施の形態にかかる情報投影システムは、情報投影装置１６００と、画像形成データ生成装置としての画像形成データ生成装置１７００と、画像形成装置としての画像形成装置３００と、ＰＣ４００とを備え、それぞれがインターネット等のネットワークに接続された構成となっている。また、情報投影装置１６００には、外部入力装置５００が接続されている。ここで、ＰＣ４００、画像形成装置３００の機能、構成は実施の形態１と同様である。
【００８６】
外部入力装置５００は、例えば、キーボードやタブレットなどのテキスト入力が可能なデバイスや、マイクロフォンなどの音声入力が可能なデバイス等が該当するが、これらに限定されるものではない。
【００８７】
情報投影装置１６００は、実施の形態１と同様に、投影スクリーンに文書データの内容を投影表示するプロジェクタ等であるが、これに限定されるものではない。情報投影装置１６００は、図１６に示すように、入出力インタフェイス１６０２（以下、「入出力Ｉ／Ｆ１６０２」という。）と、操作部１０２と、通信部１６０１と、表示構成情報生成部１０３と、投影表示部１０４とを主に備えている。ここで、操作部１０２、表示構成情報生成部１０３、投影表示部１０４の機能、構成は実施の形態１と同様である。
【００８８】
入出力Ｉ／Ｆ１６０２は、外部入力装置５００から、入力データとして、議事録の内容である議事録データの入力を受け付ける。通信部１６０１は、実施の形態１と同様の機能を有する他、入力された議事録データを画像形成データ生成装置１７００に送信する。
【００８９】
画像形成データ生成装置１７００は、実施の形態１と同様に、投影表示された文書データを印刷するための画像形成データを生成し、画像形成装置３００に送信するものである。画像形成データ生成装置１７００は、図１６に示すように、通信部２０１と、表示構成情報管理部１７０２と、文書管理部２０３と、画像形成データ生成部１７０４と、画像データ生成部２０５と、記憶部２１０とを主に備えている。ここで、通信部２０１、文書管理部２０３と、画像データ生成部２０５、記憶部２１０の機能、構成については実施の形態１と同様である。
【００９０】
本実施の形態の表示構成情報管理部１７０２は、実施の形態１と同様の機能を有する他、情報投影装置１６００から通信部２０１を介して議事録データを受信し、受信した議事録データの内容を議事録情報として、表示構成情報に登録する。
【００９１】
図１７は、実施の形態１の表示構成情報のデータ構造の一例を示す説明図である。図１７に示すように、表示構成情報管理部１７０２は、情報投影装置１６００から受信した議事録データを議事録情報として、最後の表示情報の後に登録する。
【００９２】
図１８は、議事録情報を含む表示構成情報の例を示す説明図である。図１８に示すように、議事録情報は、議事録として入力された内容を含み、表示情報の最後に付加される。
【００９３】
次に、以上のように構成された本実施の形態の情報投影システムによる議事録情報の登録処理について説明する。図１９は、実施の形態２の議事録情報の登録処理の手順を示すシーケンス図である。
【００９４】
外部入力装置５００から議事録データが入力されると（ステップＳ１００１）、これを情報投影装置１６００の入出力Ｉ／Ｆ１６０２で受付け、入出力Ｉ／Ｆ１６０２は、議事録データを通信部１６０１に送信する（ステップＳ１００２）。通信部１６０１は、受け取った議事録データを、画像形成データ生成装置１７００に送信する（ステップＳ１００３）。
【００９５】
画像形成データ生成装置１７００では、通信部２０１で議事録データを受信し、受信した議事録データを表示構成情報管理部１７０２に送信する（ステップＳ１００４）。表示構成情報管理部１７０２は、受信した議事録データを議事録情報として、ＲＡＭ等に一時的に保存された表示構成情報に登録する（ステップＳ１００５）。これにより、図１７、１８で示した表示構成情報が生成される。
【００９６】
そして、表示構成情報への登録が完了すると、表示構成情報管理部１７０２は、通信部２０１を介して、情報投影装置１６００で登録完了通知を送信する（ステップＳ１００６、Ｓ１００７）。
【００９７】
情報投影装置１６００では、登録完了通知を通信部１６０１で受信し、入出力Ｉ／Ｆ１６０２を介して外部入力装置５００に送信する（ステップＳ１００８，Ｓ１００９）。
【００９８】
本実施の形態にかかる情報投影システムでは、文書データの登録処理、文書データの表示処理、印刷処理は、それぞれ、図１１，１２，１３、１４を用いて説明した実施の形態１の各処理と同様に行われる。本実施の形態では、図１４に示す印刷処理の流れにおいて、ステップＳ６８の画像形成データ生成処理が実施の形態１と異なっている。
【００９９】
図２０は、実施の形態２の画像形成データ生成処理の手順を示すフローチャートである。本実施の形態では、ステップＳ１０２１からＳ１０２８までの処理は、実施の形態１の画像形成データ生成処理におけるステップＳ８１からＳ８８と同様に行われ、印刷用画像メモリ領域上に一又は複数の画像データが上書きされる。印刷用画像メモリ領域上に一又は複数の画像データが上書きされたら、画像形成データ生成部１７０４は、さらに、印刷用画像メモリ領域の一又は複数の画像データの後ろに、表示構成情報に登録されている議事録情報の内容をコピーし、コピー後の印刷用画像メモリ領域の内容を画像形成データとする（ステップＳ１０２９）。この画像形成データが画像形成装置３００に送信されて印刷される。
【０１００】
図２１は、図１８に示す表示構成情報から生成された画像形成データおよび印刷結果を示す説明図である。図２１に示すように、ユーザが投影スクリーンで表示した表示形態と同一の形態で、印刷することが可能となるとともに、外部入力装置５００から入力した議事録の内容も印刷されるので、ユーザの便宜となる。
【０１０１】
なお、本実施の形態では、情報投影装置１６００が外部入力装置５００から入力された議事録データを画像形成データ生成装置１７００に転送し、画像形成データ生成装置１７００で表示構成情報に議事録情報を登録する構成としているが、情報投影装置１６００側で、入力された議事録データ（議事録情報）を含めて表示構成情報を生成するように構成してもよい。
【０１０２】
また、本実施の形態では、外部入力装置５００から入力する入力データとして議事録データを用いた例を示したが、議事録データに限定されるものではなく、任意のデータを入力して印刷するように構成することができる。
【０１０３】
次に、実施の形態１、２の画像形成データ生成装置２００，１７００のハードウェア構成について説明する。図２２は、実施の形態１、２の画像形成データ生成装置２００，１７００のハードウェア構成例を示すブロック図である。
【０１０４】
実施の形態１、２の画像形成データ生成装置２００，１７００は、ＣＰＵ２２０２と、ＲＯＭ（Ｒｅａｄ  Ｏｎｌｙ  Ｍｅｍｏｒｙ）２２０３とやＲＡＭ２２０４などの記憶装置と、ＨＤＤ２１０やＣＤドライブ装置（不図示）などの外部記憶装置と、ディスプレイ装置などの表示装置（不図示）と、キーボードやマウスなどの入力装置（不図示）と、ネットワークＩ／Ｆ２２０１とを主に備えており、通常のコンピュータを利用したハードウェア構成となっている。
【０１０５】
実施の形態１、２の画像形成データ生成装置２００，１７００で実行される画像形成データ生成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録されて提供される。
【０１０６】
また、実施の形態１、２の画像形成データ生成装置２００，１７００で実行される画像形成データ生成プログラムを、インターネット等のネットワークに接続されたコンピュータ上に格納し、ネットワーク経由でダウンロードさせることにより提供するように構成しても良い。また、実施の形態１、２の画像形成データ生成装置２００，１７００で実行される画像形成データ生成プログラムをインターネット等のネットワーク経由で提供または配布するように構成しても良い。
【０１０７】
また、実施の形態１、２の画像形成データ生成装置２００，１７００で実行される画像形成データ生成プログラムを、ＲＯＭ２２０３等に予め組み込んで提供するように構成してもよい。
【０１０８】
実施の形態１、２の画像形成データ生成装置２００，１７００で実行される画像形成データ生成プログラムは、上述した各部（通信部、表示構成情報管理部、文書管理部、画像形成データ生成部、画像データ生成部）を含むモジュール構成となっており、実際のハードウェアとしてはＣＰＵ（プロセッサ）が上記記憶媒体から画像形成データ生成プログラムを読み出して実行することにより上記各部がＲＡＭ２２０４等の主記憶装置上にロードされ、通信部、表示構成情報管理部、文書管理部、画像形成データ生成部、画像データ生成部が主記憶装置上に生成されるようになっている。
【０１０９】
次に、実施の形態１、２の情報投影装置１００，１６００のハードウェア構成について説明する。図２３は、情報投影装置１００，１６００のハードウェア構成例を示すブロック図である。図２３に示すように、情報投影装置１００，１６００は、主なハードウェア構成として、ＣＰＵ（Ｃｅｎｔｒａｌ  Ｐｒｏｃｅｓｓｉｎｇ  Ｕｎｉｔ）２３０５と、ＲＯＭ２３０６と、ＲＡＭ２３０７と、投影ユニット２３０８と、映像端子２３０４と、ＵＳＢ２３０２と、シリアルバス２３０３と、ネットワークＩ／Ｆ（インタフェース）２３０１とがバスに接続された構成となっている。
【０１１０】
ＣＰＵ２３０５は、情報投影装置１００，１６００の全体の処理を制御する演算装置である。ＲＡＭ２３０７は、ＣＰＵ２３０５による各種処理に必要なデータを記憶する。ＲＯＭ２３０６は、ＣＰＵ２３０５による各種処理を実現するプログラム等を記憶する。
【０１１１】
投影ユニット２３０８は、文書データを映し出す装置であり、投影表示部１０４により制御される。投影ユニット２３０８は、例えば、液晶パネルにより発光した光を、レンズ等を含む光学系で拡大して投影する。なお、投影ユニット２３０８による投影方法はこれに限られるものではなく、ＬＥＤ（Ｌｉｇｈｔ  Ｅｍｉｔｔｉｎｇ  Ｄｉｏｄｅ）を光源として用いた方法などの従来から用いられているあらゆる投影方法を適用できる。
【０１１２】
映像端子２３０４は、ＰＣ等と接続してＰＣ等からの映像を受信して投影する場合に利用する入力端子である。ネットワークＩ／Ｆ（インタフェース）２３０１は、画像形成データ生成装置２００，１７００等の外部装置とネットワークを介して接続し、接続した外部装置との間でデータを送受信するためのインタフェースである。
【０１１３】
なお、実施の形態１，２の情報投影装置１００，１６００で実行される表示構成情報生成プログラムは、ＲＯＭ２３０６等に予め組み込まれて提供される。
【０１１４】
実施の形態１，２の情報投影装置１００，１６００で実行される表示構成情報生成プログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。
【０１１５】
さらに、実施の形態１，２の情報投影装置１００，１６００で実行される表示構成情報生成プログラムを、インターネット等のネットワークに接続されたコンピュータ上に格納し、ネットワーク経由でダウンロードさせることにより提供するように構成しても良い。また、実施の形態１，２の情報投影装置１００，１６００で実行される表示構成情報生成プログラムをインターネット等のネットワーク経由で提供または配布するように構成しても良い。
【０１１６】
実施の形態１，２の情報投影装置１００，１６００で実行される表示構成情報生成プログラムは、上述した各部（通信部、表示構成情報生成部、投影表示部）を含むモジュール構成となっており、実際のハードウェアとしてはＣＰＵ２３０５が上記ＲＯＭ２３０６から表示構成情報生成プログラムを読み出して実行することにより上記各部がＲＡＭ２３０７等の主記憶装置上にロードされ、通信部、表示構成情報生成部、投影表示部が主記憶装置上に生成されるようになっている。
【０１１７】
（実施の形態３）
実施の形態１、２では、画像形成データ生成装置２００、１７００側で、文書データの登録、表示構成情報からの画像形成データの生成を行っていたが、本実施の形態では、画像形成データ生成装置を備えず、文書データの登録、表示構成情報からの画像形成データの生成をも、情報投影装置で行うものである。
【０１１８】
図２４は、実施の形態３の情報投影システムのネットワーク構成、および情報投影装置、画像形成装置の各機能的構成を示すブロック図である。本実施の形態にかかる情報投影システムは、情報投影装置２４００と、画像形成装置としての画像形成装置３００と、ＰＣ４００とを備え、それぞれがインターネット等のネットワークに接続された構成となっている。ここで、ＰＣ４００、画像形成装置３００の機能、構成は実施の形態１と同様である。また、実施の形態２と同様に、情報投影装置２４００に、外部入力装置５００を接続した構成とすることもできる。
【０１１９】
本実施の形態の情報投影装置２４００は、実施の形態１と同様に、投影スクリーンに文書データの内容を投影表示するプロジェクタ等であるが、これに限定されるものではない。また、本実施の形態の情報投影装置２４００は、実施の形態１の画像形成データ生成装置２００の機能、すなわち、ＰＣ４００から送信されてきた文書データを画像変換して登録する機能、投影表示された文書データを印刷するための画像形成データを生成し、画像形成装置３００に送信する機能も有する。
【０１２０】
情報投影装置２４００は、図２４に示すように、操作部１０２と、表示構成情報生成部１０３と、投影表示部１０４と、表示構成情報管理部２０２と、文書管理部２０３と、画像形成データ生成部２０４と、画像データ生成部２０５と、記憶部２１０とを主に備えている。これら各部の機能、構成は実施の形態１の各部と同様である。
【０１２１】
また、本実施の形態にかかる情報投影装置２４００は、文書データの登録処理、文書データの表示処理、印刷処理、画像形成データ生成処理は、それぞれ、図１１，１２，１３、１４、１５を用いて説明した実施の形態１の各処理と同様の処理であり、通信部１０１，２０１を介さずに行われる。
【０１２２】
なお、本実施の形態の情報投影装置２４００のハードウェア構成は、図２３に示す構成と同様である。
【０１２３】
このように本実施の形態では、情報投影装置２４００が文書データの登録処理、文書データの表示処理、印刷処理、画像形成データ生成処理のすべてを行うので、実施の形態１と同様の効果を有する他、別途、画像形成データ生成装置を設ける必要がなくなり、システム構成を簡素化することができる。
【０１２４】
なお、上記実施の形態では、画像形成装置を、印刷装置に適用した例をあげて説明したが、コピー機能、プリンタ機能、スキャナ機能およびファクシミリ機能のうち少なくとも２つの機能を有する複合機、複写装置、ファクシミリ装置等の印刷機能を有する画像形成装置であればいずれにも適用することができる。
【符号の説明】
【０１２５】
１００，１６００，２４００  情報投影装置
１０１，２０１，１６０１  通信部
１０２  操作部
１０３  表示構成情報生成部
１０４  投影表示部
２００，１７００  画像形成データ生成装置
２０２，１７０２  表示構成情報管理部
２０３  文書管理部
２０４，１７０４  画像形成データ生成部
２０５  画像データ生成部
２１０  記憶部（ＨＤＤ）
１６０２  入出力インタフェイス
２２０１，２３０１  ネットワークＩ／Ｆ
２２０２，２３０５  ＣＰＵ
２２０３，２３０６  ＲＯＭ
２２０４，２３０７  ＲＡＭ
２３０２  ＵＳＢ
２３０３  シリアルバス
２３０４  映像端子
２３０８  投影ユニット
【先行技術文献】
【特許文献】
【０１２６】
【特許文献１】特開２００８‐３０５２３３号公報
【特許文献２】特開２００２‐２４７５３９号公報
【図１】
2012173886.tif 000003
【図２】
2012173886.tif 000004
【図３】
2012173886.tif 000005
【図４】
2012173886.tif 000006
【図５】
2012173886.tif 000007
【図６】
2012173886.tif 000008
【図７】
2012173886.tif 000009
【図８】
2012173886.tif 000010
【図９】
2012173886.tif 000011
【図１０】
2012173886.tif 000012
【図１１】
2012173886.tif 000013
【図１２】
2012173886.tif 000014
【図１３】
2012173886.tif 000015
【図１４】
2012173886.tif 000016
【図１５】
2012173886.tif 000017
【図１６】
2012173886.tif 000018
【図１７】
2012173886.tif 000019
【図１８】
2012173886.tif 000020
【図１９】
2012173886.tif 000021
【図２０】
2012173886.tif 000022
【図２１】
2012173886.tif 000023
【図２２】
2012173886.tif 000024
【図２３】
2012173886.tif 000025
【図２４】
2012173886.tif 000026